(57)【要約】      （修正有）【課題】一種の抗酸化マイナス水素イオン活性水装置を提供する。【解決手段】抗酸化マイナス水素イオン活性水装置は、主にボイル体の首尾が順に繋げる不純物除きフィルター１０、塩素除きフィルター２０、活性化フィルター３０、水素のマイナス電位発生器４０および菌除きフィルター５０を含み、前述の各フィルターで水に対して順に作用してから、浄化した水に一般的な浄水装置で提供する不純物取り除き、消臭、抗菌などの基本的な利点を提供するほか、更に、遠赤外線の活性化フィルター３０で水を活性化させ、また水素のマイナス電位発生器４０で発生するマイナス水素イオン水の効果から、人体の渇きを解消する基本需用を満足するほか、更に人体に対して抗酸化の養生需用にも提供する効果がある。【選択図】図１
0003206010.tif 000002
【実用新案登録請求の範囲】
【請求項１】
抗酸化マイナス水素イオン活性水装置であって、
ボイル体の首尾が順に繋げる不純物除きフィルターと、
塩素除きフィルターと、
活性化フィルターと、
水素のマイナス電位発生器と、
菌除きフィルターと、
を含み、
前記不純物除きフィルターは、銀を含む不織布の鉛除き繊維フィルターで作られており、その繊維は活性化炭素繊維であり、また、前記塩素除きフィルターは、銅と亜鉛の小粒を入れたヤシ殻活性化炭素フィルターであり、そして、前記菌除きフィルターは、中空糸膜を含む、
抗酸化マイナス水素イオン活性水装置。
【請求項２】
前記塩素除きフィルターは、更にヤシ殻活性化炭素フィルターに抗菌銀を添加する、請求項１に記載の抗酸化マイナス水素イオン活性水装置。
【請求項３】
前記活性化フィルターに利用される濾過材料が、光波パワー石、マイナスイオン石、麦飯石、遠赤外線陶磁石および磁石で構成した群の中から選んだ少なくとも一つである、請求項１又は２に記載の抗酸化マイナス水素イオン活性水装置。
【請求項４】
前記菌除きフィルターは、中空糸膜に濾過材料として利用され、前記中空糸膜の形状は、ストローのような束になった管状細線であり、そして、その内壁には無数の超細微濾過口が形成され、また濾過口の口径が細菌より小さく、水中のミネラル分子より大きい、請求項１〜３のいずれか一項に記載の抗酸化マイナス水素イオン活性水装置。
【考案の詳細な説明】
【技術分野】
【０００１】
本考案は、浄水装置に関し、特に人体に抗酸化機能を提供するマイナス水素イオン活性水装置の新しい構造形態に関する。
【背景技術】
【０００２】
研究によって、正常の人は、食べ物がなく、水だけがある環境で約３０日間生きられるが、水がなく食べ物だけがある環境では約７日間しか生きられないことから、水が人体にとって欠かせない基本元素である。
【０００３】
早期、人が飲用する水源は、大体、井戸水、川又は地下水であり、そして現在の飲用水源は、貯水池から蓄積して処理した水道水である。しかしながら、重工業の発展および農薬の濫用に伴い、水源の中の有害な重金属の含有量が、人体の健康に及ぼすほどの量になっていた。また、水源地の治山治水の保持効果が悪く、よく台風の後に貯水池の原水の濁りが酷くなり、浄水場に対して厳重な負担になり、処理できない状況までたどり着いていた。例え、原水は事前に浄水処理をしてから水道より人に提供されているが、浄水処理した後の水を濾過などの二次処理をしない限り、沸すだけでは水道水の不純物と有害物質を完全に取り除くことができず、人の健康に害を及ぼす恐れがある。
【０００４】
そのため、様々な浄水装置が次から次へと発売され、ただ、現在発売されている浄水装置には、二つ改善すべき共通問題があり、その一つが受動的に濾過することしかできないということ、そしてもう一つが過度濾過である。市販の逆浸透浄水装置を例として、その処理後の水では、殆どの不純物が取り除かれたが、もちろん本来水に存在する人の健康に対して良いミネラルも取り除かれていた。このような水は、あくまでも喉の渇きを解消できるが、飲用した人の健康に対していかなる利点もない。また、伝統的な多層式浄水装置は、受動的に水中の異なる不純物又は有害物質を濾過するが、主動的に水の活性化機能を提供できず、同じく飲用水での健康又は養生のレベルにたどり着かないのである。
【考案の概要】
【考案が解決しようとする課題】
【０００５】
本考案の目的は、確実に実用性のある新たな抗酸化マイナス水素イオン活性水装置の構造形態を目標とする浄水装置を提供することである。
【課題を解決するための手段】
【０００６】
上記課題を解決するためになされた抗酸化マイナス水素イオン活性水装置は、ボイル体の首尾が順に繋げる不純物除きフィルター、塩素除きフィルター、活性化フィルター、水素のマイナス電位発生器および菌除きフィルターを含み、その不純物除きフィルターは、銀を含む不織布の鉛除き繊維フィルターで作られており、その繊維は活性化炭素繊維であり、また、塩素除きフィルターは、銅と亜鉛の小粒を入れたヤシ殻活性化炭素フィルターであり、銅と亜鉛で交換電子酸化還元作用を行い続けることによって水の塩化物を取り除くほか、更に水での水溶性重金属の濃度を有効的に低下させることができ、そして、活性化フィルターは、主に鉱石で放出する遠赤外線で持続的に高エネルギーの振動頻度を放出させ、並びにその波長は、水分子の波長と共鳴共振を発生し、水分子の振動より分子間の摩擦で発生する振動反応を促進させ、大きい水分子の塊を小さい水分子に素早く処理することができ、次に水素のマイナス電位発生器は、水素が水に溶ける技術特徴を利用し、飲みやすい水素のマイナス電位微アルカリ性イオン水を提供し、そして、菌除きフィルターは、「中空糸膜」で減菌又は除菌の目的を達する効果を提供することを特徴とする抗酸化マイナス水素イオン活性水装置であることを要旨としている。
【０００７】
このオリジナルな設計によって、本考案が従来技術と比べて、浄化後の水から一般的な浄水装置から提供される不純物と臭いを取り除き、除菌など基本的な利点を提供するほか、更に活性化フィルターより水を活性化させ、そして、水素のマイナス電位発生器よりマイナス水素イオンがあるアルカリ性水を提供する効果を発生させることによって、本考案で浄化した水が人体の渇きを解消する基本需用を満足するほか、よく飲むと更に人体に対して抗酸化の養生需用にも提供する効果がある。
【考案の効果】
【０００８】
本考案の「抗酸化マイナス水素イオン活性水装置」は、主にボイル体の首尾が順に繋げる不純物除きフィルター、塩素除きフィルター、活性化フィルター、水素のマイナス電位発生器および除菌フィルターによる新しいオリジナルの構造形態と水濾過技術によって、従来の技術に比べて、受動的に水中の不純物、細菌、臭いを濾過するほか、同時に、主動的に光波エネルギーで濾過後の水を活性化させ、食感の向上と人体に必要な多種のミネラルを溶出し、そして水素のマイナス電位発生器で濾過後の水に超高溶解水素微気泡を充満させ、飲用者の体に抗酸化機能を提供する。そのため、本考案で浄化した水は、従来の浄水装置の不足を克服し、同時に市販での多種の浄水器の利点をまとめる目的を達し、飲用水の食感を向上する前提で、更に健康養生の目的にも提供するのである。
【図面の簡単な説明】
【０００９】
【図１】本考案の断面図である。
【図２】本考案の側面図である。
【図３】本考案の浄水活性化のフロー図である。
【考案を実施するための形態】
【００１０】
まず、図１〜図３を参照する。本考案の抗酸化マイナス水素イオン活性水装置についてのより良い実施形態の一例で、具体的に本考案を説明するために用いられる内容であり、実用新案登録請求の範囲を制限してはならない。前述した抗酸化マイナス水素イオン活性水装置は、ボイル体の首尾が順に繋げる不純物除きフィルター１０、塩素除きフィルター２０、活性化フィルター３０、水素のマイナス電位発生器４０、菌除きフィルター５０を含み、前述の各フィルターより順に水に作用し、浄化した水から一般的な不純物と臭いを取り除き、除菌など基本的な利点を提供するほか、更に、活性化フィルター３０より水を活性化させ、そして、水素のマイナス電位発生器４０よりマイナス水素イオンがあるアルカリ性水を提供する効果を発生させることによって、本考案で浄化した水が人体の渇きを解消する基本需用を満足するほか、よく飲むと更に人体に対して抗酸化の養生需用にも提供する効果があることを特徴とする抗酸化マイナス水素イオン活性水装置である。
【００１１】
これより、本考案の各フィルターの特性と浄化（活性化）水の機能について説明する。
【００１２】
本考案の不純物除きフィルター１０は、銀を含む不織布の鉛除き繊維フィルターで作られており、その繊維は活性化炭素繊維であり、言い換えると、本考案の不純物除きフィルター１０は、活性化炭素繊維フィルターとも呼ばれ、かつ、該活性化炭素繊維は、最新の融解紡糸技術で開発した高吸着性の活性化炭素繊維であり、主に空気と水に運用するフィルターである。該活性化炭素繊維フィルターの構造特性は、一般的に市販している活性化炭粒フィルター或いは活性化炭棒フィルターではなく、湿式成形の方法で活性化炭粒と繊維を結合させ、結合した後の活性化炭素繊維の表面には無数の細微穴があり、全ての穴と内壁の面積の総和が、活性化炭粒の面積より遥かに大きいため、水中の不純物に対して吸着性が非常に速く、同時に吸着量も大きくなり、伝統的な活性化炭粒又は活性化炭棒の吸着速度と吸着量より約５〜１０倍の差がある。
【００１３】
本考案の塩素除きフィルター２０は、更に詳しく言うと、ヤシ殻活性化炭素フィルターであり、そして、その中に銅と亜鉛の小粒（ＫＤＦ：Ｋｉｎｅｔｉｃ  Ｄｅｇｒａｄａｔｉｏｎ  Ｆｌｕｘｉｏｎ）を添加している。ＫＤＦは、電化学の酸化還元法で水中の汚染を取り除く清潔合金である。即ち、銅と亜鉛のスクラップを混合させ、銅と亜鉛で交換電子酸化還元作用を行い続けることによって、水の塩化物を取り除くほか、更に水での水溶性重金属（水銀、カドミウム、銅、リン、鉛、アルミニウム、ヒ素）の濃度を有効的に低下させる目的を達するのである。本考案は、更にヤシ殻活性化炭素フィルターに抗菌銀を添加させることによって、塩素除きフィルター２０により水中の塩化物を取り除けるほか、更に消臭および水中に残っている農薬と有機化学汚染物（例えば微生物より分解しにくい清潔剤）を取り除くことができ、水の化学的酸素要求量（ＣＯＤ：Ｃｈｅｍｉｃａｌ  Ｏｘｙｇｅｎ  Ｄｅｍａｎｄ）を有効的に低下させ、水質を最適化していくのである。また、抗菌銀が水中にある細菌の繁殖を抑制することができるため、停止している水で発生する腐敗現象を有効的に防止し、濾過した水の保存期間を延ばしていくのである。
【００１４】
本考案の活性化フィルター３０に利用される濾過材料は、光波パワー石、マイナスイオン石、麦飯石、遠赤外線陶磁石および磁石で構成した群の中から選んだ少なくても一つである。前記光波パワー石とマイナスイオン石の効果が大よそ同じであり、同じく放出している遠赤外線で持続的に高エネルギー４０〜６０Ｈｚの振動頻度を放出し、その波長が８〜１４ミクロンであり、水分子の波長と共鳴共振を発生し、水分子の振動より分子間の摩擦で発生する振動反応を促進させ、１２〜１３単位の大きい水分子の塊を５〜６単位の小さい水分子に切り処理することができ、大きい水分子の塊で包むミネラルが前述の作用によって放出されてから、飲用水の食感を甘くて飲みやすいように成らせていくのである。また、謂わば麦飯石は火山の溶岩であり、学名は斑状安山岩である。麦飯石は沸石（Ｚｅｏｌｉｔｅ）を含み、沸石の分子構造は無数の細微穴があるため、水の濾過材料として利用される場合、細菌が通過することができず、例え単純に水中に静置しても水中の気体と重金属を吸着することができる。更に重要なのは、麦飯石が水中で人体にとって欠かせないカルシウム、鉄、ケイ酸塩、マグネシウム、アルミニウムなどミネラルを溶け出し、水の活性化に達して、濾過後の水の食感を向上していくのである。同時に、前述した天然イオン交換プロセスによって、水のＰＨ値を上げて弱アルカリ水にならせ、長期飲用にわたって体質を調整する効果に繋げていくのである。
【００１５】
本考案の水素のマイナス電位発生器４０は、主に水素が水に溶ける技術特徴で飲みやすい水素のマイナス電位微アルカリ性イオン水を提供し、その特徴が水中に細微の水素気泡を充満させ、水を飲用する時の食感を良くするほか、長期飲用にわたって、人体に抗酸化（老化防止）の目的を提供するのである。家での水道水を例として、水素のマイナス電位発生器４０で処理した水は、超高溶解水素微気泡が約１０００ｐｐｂから１５００ｐｐｂの間にあり、抗酸化還元電位が約−５００ｍｖから−８００ｍｖの間にあり、ＰＨ値が約７．５から８．９の間にあるなどの特性を有する。また、本考案の水素のマイナス電位発生器４０は、使用寿命の延長効果を持ち、正常の使用状態で、約８０００から１２０００リットルの水を濾過してからフィルターを交換する必要があり、一般の家庭にとって、経済的かつ健康的である。
【００１６】
本考案の菌除きフィルター５０は、主に「中空糸膜」で減菌又は除菌の目的を達する効果を提供する。前述した「中空糸膜」はまた、超濾過膜と呼ばれ、その形状がストローのような束になった管状細線であり、そして、その内壁には、無数の直径が０．１〜０．０１ミクロンである超細微濾過口が形成されており、濾過口の口径が細菌より小さいため、水中の大腸菌、赤痢菌、サルモネラ菌、コレラ菌、結核菌などの細菌を濾過することができる。また、前述した濾過口の口径が水中で溶解するミネラル分子より大きいため、細菌濾過のプロセスでも前段フィルターで発生するミネラルを保留し、従来ＲＯ逆浸透水がミネラルまで濾過してしまう欠点を克服する。
【符号の説明】
【００１７】
１０    不純物除きフィルター 
２０    塩素除きフィルター
３０    活性化フィルター
４０    水素のマイナス電位発生器       
５０    菌除きフィルター
【図１】
0003206010.tif 000003
【図２】
0003206010.tif 000004
【図３】
0003206010.tif 000005